【手続補正書】
【提出日】平成22年8月9日(2010.8.9)
【手続補正１】
【補正対象書類名】明細書
【補正対象項目名】全文
【補正方法】変更
【補正の内容】
【発明の詳細な説明】
【発明の名称】スピニングリールのリール本体
【技術分野】
【０００１】
本発明は、リール本体、特に、釣竿に上部が装着可能であり、前方に釣り糸を繰り出し可能なスピニングリールのリール本体に関する。
【背景技術】
【０００２】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
リール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材とを有している。また、リールボディの後部には、リールボディの後部から下部を覆うようにカバー部材（ガード部材）が装着されている（たとえば、特許文献１参照）。カバー部材は、リールボディの後方から装着されており、リールボディの後部及び下部において、リールボディの後方及び下方から挿入されたねじ部材によってねじ止め固定されている。
【特許文献１】特開２００４−２５４５３４号公報
【発明の開示】
【発明が解決しようとする課題】
【０００４】
前記従来のリール本体は、カバー部材はリールボディの後方及び下方から挿入されたねじ部材によってねじ止め固定されているだけであるので、特に、リールボディにカバー部材を装着したときリールボディの後部とカバー部材との間に空洞部が形成されたリール本体では、たとえばリールをカバー部材側から落下させたり、カバー部材を後方に強く引っ張ったりする等、カバー部材に大きな衝撃が付与されると、カバー部材がリールボディから外れてしまうおそれがある。
【０００５】
本発明の課題は、スピニングリールのリール本体において、リールボディからカバー部材を外れにくくすることにある。
【課題を解決するための手段】
【０００６】
発明１に係るスピニングリールのリール本体は、釣竿に上部が装着可能であり前方に釣り糸を繰り出し可能なスピニングリールのリール本体であって、内部に各種の機構が装着され後部上面に外部に露出するように形成された係止溝を有するリールボディと、釣竿に装着可能であり後方に開口する装着孔が形成されリールボディから斜め上前方に一体的に延びるＴ字状の竿取付脚部と、竿取付脚部の後部下方からリールボディの後部上方を覆うように装着される第１カバー本体と第１カバー本体の前部上方に前側に突出するように形成され装着孔に揺動可能に装着される揺動軸部と第１カバー本体の下部に形成され揺動軸部を装着孔に装着し第１カバー本体を装着孔の軸芯回りに揺動させたとき係止溝に係止可能な係止突起とを有する第１カバー部材とを備えている。
【０００７】
このリール本体では、リールボディには、後部上面に外部に露出する係止溝が形成され、竿取付脚部には、後方に開口する装着孔が形成され、第１カバー部材は、装着孔に揺動可能に装着される揺動軸部と、揺動軸部を装着孔に装着し第１カバー本体を装着孔の軸芯回りに揺動させたとき係止溝に係止可能な係止突起とを主に有している。ここでは、第１カバー部材は、第１カバー本体を装着孔の軸芯回りに揺動させたとき係止突起が係止溝に係止されるので、第１カバー部材に大きな衝撃が付与されても、第１カバー部材がリールボディから外れにくくなる。特に、第１カバー部材を後方に強く引っ張ったとしても、第１カバー部材の着脱方向が前後方向であるのに対して、第１カバー部材の揺動方向が着脱方向と交差する左右方向であるので、係止突起の後端面が係止溝に係止されることにより、第１カバー部材がリールボディから後方に外れにくくなる。
【０００８】
発明２に係るリール本体は、発明１のリール本体において、第１カバー部材の後部下方からリールボディの後部下方を覆うように装着される第２カバー本体と、第２カバー本体の上部に設けられ少なくとも係止溝及び係止溝に係止された係止突起の周囲を覆う抜け止め部とを有する第２カバー部材をさらに備えている。この場合、第２カバー部材は、上部に設けられた抜け止め部によって、第１カバー部材の後部下方の係止溝及び係止溝に係止された係止突起の周囲を覆う構成になっているので、第２カバー部材によって第１カバー部材の後方への移動を規制することができ、第１カバー部材がリールボディから後方に外れにくくなる。
【０００９】
また、リールボディ後部上方に装着される第１カバー部材と、リールボディ後部下方及びリールボディ下部に装着される第２カバー部材とにカバー部材を２ピース化することによって、たとえば比較的衝撃を受けにくい第１カバー部材を合成樹脂製として軽量化を図りながら、岩場等に接触しやすい第２カバー部材を高硬度な金属製として強度を高く維持することができる。
【００１０】
発明３に係るリール本体は、発明２のリール本体において、第２カバー部材は、抜け止め部が形成された部分でのみ第１カバー部材を覆うように形成されている。この場合、第２カバー部材の抜け止め部が形成された部分でのみ第１カバー部材を覆うようになっているので、たとえばリールボディ後部全体に第１カバー部材を装着し、第１カバー部材の後部全体に第２カバー部材を装着するような構成である場合に比して、リール全体の大型化を防止できる。
【００１１】
発明４に係るリール本体は、発明２又は３のリール本体において、第１カバー部材は、第１カバー本体の下部に下方に突出するように形成され、第２カバー部材を装着したとき、リールボディの後端部と第２カバー部材の抜け止め部とで挟持される挟持突起をさらに有している。この場合、第１カバー部材は、リールボディの係合溝に係止突起を係止させるだけでなく、リールボディと第２カバー部材の抜け止め部とで挟持突起を挟持させることにより、さらに第１カバー部材がリールボディから後方に外れにくくなる。
【００１２】
発明５に係るリール本体は、発明２から４のいずれかのリール本体において、リールボディは、下部に形成されたねじ孔をさらに有している。第２カバー部材は、下部に形成されねじ孔に連通する貫通孔をさらに有している。第２カバー部材は、下側から貫通孔及びねじ孔に装着されたねじ部材によって、リールボディにねじ止め固定されている。この場合、第１カバー部材は第２カバー部材によって後方への移動が規制されているので、第２カバー部材をリールボディにねじ止め固定することで、第１カバー部材を竿取付脚部やリールボディにねじ止めする必要がなくなる。
【００１３】
発明６に係るリール本体は、発明１から５のいずれかのリール本体において、装着孔及び装着孔に装着された揺動軸部の先端部は、斜め下前方に延びている。この場合、揺動軸部の揺動軸は、前後方向のスプール軸と交差する方向であるので、揺動軸部の揺動軸がスプール軸と平行である場合に比して、第１カバー部材がリールボディから後方に外れにくくなる。
【００１４】
発明７に係るリール本体は、発明１から６のいずれかのリール本体において、リールボディは、リールボディに第１カバー部材を装着したときリールボディと第１カバー部材との間に空洞部が形成されるような形状に形成されている。この場合、リールボディとの間に空洞部が形成されるので、第１カバー部材の揺動方向や揺動範囲の自由度が高くなる。
【発明の効果】
【００１５】
本発明によれば、スピニングリールのリール本体において、第１カバー部材は、第１カバー本体を装着孔の軸芯回りに揺動させたとき係止突起が係止溝に係止されるので、第１カバー部材に大きな衝撃が付与されても、第１カバー部材がリールボディから外れにくくなる。
【発明を実施するための最良の形態】
【００１６】
本発明の一実施形態によるスピニングリールは、図１から図４に示すように、投げ釣り用のスピニングリールであって、ハンドル１を有し、釣竿に装着されるリール本体２と、リール本体２の前部に回転自在に装着されたロータ３と、ロータ３の前部に配置された前後移動するスプール４とを主に備えている。また、スピニングリールは、ハンドル１の回転に連動してロータ３を回転駆動するロータ駆動機構５と、ロータ３の回転に連動してスプール４を前後移動させるオシレーティング機構６とを備えている。
【００１７】
リール本体２は、内部にロータ駆動機構５とオシレーティング機構６とを収納している。リール本体２は、図１から図４に示すように、両側が開口する筐体部１０と、筐体部１０の両側をそれぞれ塞ぐ第１蓋部材１１及び第２蓋部材１２と、筐体部１０に一体形成された竿取付脚部１３と、筐体部１０及び第１蓋部材１１、第２蓋部材１２を後方から覆う第１カバー部材１４、第２カバー部材１５とを有している。
【００１８】
筐体部１０は、図２から図４に示すように、たとえばアルミニウム合金製の部材であり、ロータ駆動機構５やオシレーティング機構６を収納支持するための収納空間１０ａを形成し得る両面が開口した枠状の部材である。筐体部１０の前面には、図２、図４に示すように、後述する逆転防止機構５０のワンウェイクラッチ５１やピニオンギア９等が装着される円板状の機構支持部１０ｂが形成されている。また、筐体部１０は、図２、図４に示すように、後部上面に外部に露出するように形成され、後述する第１カバー部材１４の第１係止突起１４ｃが係止可能な係止溝１０ｃと、下部に形成されたねじ孔１０ｄとを有している。係止溝１０ｃは、図８に示すように、筐体部１０の後部上面において第１カバー部材１４の揺動方向である左右方向に切り欠かれた溝部である。
【００１９】
第１蓋部材１１は、たとえばアルミニウム合金製の部材であり、筐体部１０の一面を覆うように形成されている。第１蓋部材１１は、図３、図４に示すように、マスターギア７に近接して配置されている。また、第１蓋部材１１には、図３に示すように、マスターギア７が設けられたマスターギア軸８の一端をマスターギア７の背面側で支持する第１ボス部１１ａが壁面の略中央部分に外方に突出して形成されている。また、第１蓋部材１１の前部には、図４に示すように、ロータ３の内部に入り込む円板部を構成する略半円形の第１フランジ部１１ｂが形成されている。さらに、第１フランジ部１１ｂの前部には、図４に示すように、機構支持部１０ｂの後面に配置され機構支持部１０ｂの外周面と略面一に構成される略半円弧状の第１機構収納カバー１１ｃが形成されている。
【００２０】
第２蓋部材１２は、たとえばアルミニウム合金製の部材であり、第１蓋部材１１と略対称な鏡像関係の形状であり、図３、図４に示すように、第１ボス部１１ａ、第１フランジ部１１ｂ、第１機構収納カバー１１ｃと略対称な鏡像関係の形状である、第２ボス部１２ａ、第２フランジ部１２ｂ、第２機構収納カバー１２ｃが形成されている。このため、第１フランジ部１１ｂ及び第２フランジ部１２ｂは、筐体部１０の機構支持部１０ｂ後面の外周面とで円形を構成するように形成されている。この円形部分がロータ３の後面に僅かな隙間で嵌り込むように構成されている。
【００２１】
なお、第１蓋部材１１、第２蓋部材１２は、たとえば丸頭ビスのような固定ねじにより、筐体部１０に固定されている。竿取付脚部１３は、図１から図４に示すように、筐体部１０から上方に延びるＴ字形状の部材であり、先端に形成された前後に延びるリール脚１３ａが釣竿に図示しないリールシートに装着可能である。また、竿取付脚部１３は、図１から図４に示すように、前方及び後方に開口するように前後に貫通して形成され、後述する第１カバー部材１４の揺動軸部１４ｂが後方から揺動可能に装着される装着孔１３ｂを有している。装着孔１３ｂは、前後方向のスプール軸１６と交差する方向である、斜め下前方に延びている。
【００２２】
第１カバー部材１４、第２カバー部材１５は、図１から図４に示すように、第１蓋部材１１、第２蓋部材１２を装着した状態の筐体部１０を後方から側部及び底部を覆うように湾曲して形成されている。第１カバー部材１４、第２カバー部材１５は、ＡＢＳ樹脂等の比較的硬質の合成樹脂製であり、表面に金属めっきを施している。筐体部１０は、図１、図２、図７に示すように、筐体部１０に第１カバー部材１４を装着したとき筐体部１０と第１カバー部材１４との間に空洞部１００が形成されるような後面が前方側に凹状に凹んでいる。
【００２３】
第１カバー部材１４は、図２、図４、図５、図７、図８に示すように、竿取付脚部１３の後部下方から筐体部１０の後部上方を覆うように装着される第１カバー本体１４ａと、第１カバー本体１４ａの前部上方に前側に突出するように形成され装着孔１３ｂに揺動可能に装着される揺動軸部１４ｂと、第１カバー本体１４ａの下部に形成され揺動軸部１４ｂを装着孔１３ｂに装着し第１カバー本体１４ａを装着孔１３ｂの軸芯回りに揺動させたとき係止溝１０ｃに係止可能な第１係止突起１４ｃと、第１カバー本体１４ａの下部に下方に突出するように形成され第２カバー部材１５を装着したとき、筐体部１０の後端部と第２カバー部材１５の抜け止め部１５ｂとで挟持される第２係止突起１４ｄとを有している。第１カバー本体１４ａは、図５、図７に示すように、上側に向かって先細り形状となる凹状のカバー部材であって、外形が筐体部１０の後部上方の外形と一致する形状に形成されている。揺動軸部１４ｂの先端部は、図４、図５、図７に示すように、装着孔１３ｂに装着されたとき、斜め下前方に延びている。すなわち、揺動軸部１４ｂを装着孔１３ｂに装着した状態で、図５に示す左右方向に第１カバー本体１４ａを揺動させるときの揺動軸は、図７に示すように、前後方向のスプール軸１６と交差する方向に延びている。このため、第１カバー部材１４の着脱方向が前後方向であるのに対して、第１カバー部材１４の揺動方向が着脱方向と交差する左右方向になっている。第１係止突起１４ｃは、図８に示すように、第１カバー本体１４ａの下部に下方に突出して形成され、揺動軸部１４ｂを装着孔１３ｂに装着し第１カバー本体１４ａを装着孔１３ｂの軸芯回りに揺動させたとき係止溝１０ｃに係止可能な突起である。第２係止突起１４ｄは、図８に示すように、第１カバー本体１４ａの下部の第１係止突起１４ｃの後側に下方に突出して形成され、第２カバー部材１５を装着したとき、筐体部１０の後端部と第２カバー部材１５の抜け止め部１５ｂとで挟持される突起である。ここでは、係止溝１０ｃ、係止溝１０ｃに係止された第１係止突起１４ｃ、第２係止突起１４ｄは、後述する第２カバー部材１５の抜け止め部１５ｂによって完全に覆われており、このため外方に露出しない構成になっている。
【００２４】
第２カバー部材１５は、図２、図４、図６から図８に示すように、第１カバー部材１４の後部下方から筐体部１０の後部下方を覆うように装着される第２カバー本体１５ａと、第２カバー本体１５ａの上部に設けられ係止溝１０ｃに係止された第１係止突起１４ｃの周囲を覆う抜け止め部１５ｂと、第２カバー本体１５ａの上部の抜け止め部１５ｂの下方に筐体部１０側に突出した位置決め用の突出部１５ｃと、下部に形成されねじ孔１０ｄに連通する貫通孔１５ｄとを有している。第２カバー部材１５は、図６、図７に示すように、後部から下部に向かって折れ曲がる凹状のカバー部材であって、外形が筐体部１０の後部下方及び下部の外形と一致する形状に形成されている。抜け止め部１５ｂは、第２カバー本体１５ａの上部に形成された凹状のカバー部分であって、係止溝１０ｃ、係止溝１０ｃに係止された第１係止突起１４ｃ、第２係止突起１４ｄを覆っている。突出部１５ｃは、前方に突出する突起部であって、第２カバー部材１５を筐体部１０の所定の位置に位置決めするために、筐体部１０の後部に形成された図示しない貫通孔に挿入されている。また、第２カバー部材１５は、下側から貫通孔１５ｄ及びねじ孔１０ｄに装着されたねじ部材９０によって、筐体部１０にねじ止め固定されている。ここでは、第１カバー部材１４は第２カバー部材１５によって後方への移動が規制されているので、第２カバー部材１５を筐体部１０にねじ止め固定することで、第１カバー部材１４をねじ止めする必要がない。また、第２カバー部材１５は、図８に示すように、抜け止め部１５ｂが形成された部分でのみ第１カバー部材１４を覆うように形成されており、係止溝１０ｃ、係止溝１０ｃに係止された第１係止突起１４ｃ、第２係止突起１４ｄを抜け止め部１５ｂが形成された部分でのみ覆っている。
【００２５】
ロータ駆動機構５は、図２から図４に示すように、ハンドル１のハンドル軸１ａがねじ込み固定されるマスターギア軸８と、マスターギア軸８に一体形成されたマスターギア７と、マスターギア７と噛み合うピニオンギア９とを備えている。
【００２６】
マスターギア７は、図３に示すように、たとえばアルミニウム合金製のフェースギアであって、マスターギア軸８とともに一体成形されている。マスターギア７は、図３に示すように、ピニオンギア９に噛み合う斜歯で構成されるギア部７ａが右側に向くように配置されている。
【００２７】
マスターギア軸８は、図３に示すように、マスターギア７とアルミニウム合金により一体成形された中実部材であって、リール本体２の第１蓋部材１１、第２蓋部材１２に形成された第１ボス部１１ａ及び第２ボス部１２ａに装着された軸受１９ａ、１９ｂによりリール本体２に回転自在に装着されている。また、マスターギア軸８は、スプール軸１６の釣竿装着側（上側）に配置されている。マスターギア軸８の両端内周部には、雌ねじ部８ａ、８ｂがそれぞれ形成されている。雌ねじ部８ａ、８ｂは、ハンドル１を糸巻き取方向に回転したときねじが締まる方向のねじである。したがって、図３左側の雌ねじ部８ａは左ねじであり、図３右側の雌ねじ部８ｂは右ねじである。なお、ハンドル１は、図１及び図３に示す左位置と図示しない右位置とのマスターギア軸８の両端のいずれにも装着可能である。しかし、雌ねじ部８ａ、８ｂのねじ方向が異なるため、ハンドル軸１ａを左右に取り付ける場合、それぞれ専用のものが用意されている。
【００２８】
ピニオンギア９は、図２、図４に示すように、中空筒状の部材であり、前部がロータ３を貫通してロータ３を回転不能に装着している。ピニオンギア９の内周部には、図２に示すように、スプール軸１６が貫通して配置されている。ピニオンギア９の前部には、図２に示すように、ナット１７が装着されており、ナット１７によりロータ３がピニオンギア９に固定されている。ピニオンギア９は、図２に示すように、その軸方向の中間部と後端部とがそれぞれ軸受１８ａ、１８ｂによりリール本体２の筐体部１０に回転自在に支持されている。軸受１８ａ、１８ｂは、機構支持部１０ｂに装着されている。
【００２９】
オシレーティング機構６は、図２から図４に示すように、トラバースカム方式のレベルワインド機構であって、ピニオンギア９に噛み合う減速機構２０と、減速機構２０に連動して回転する螺軸２１と、螺軸２１に係合して前後に往復移動するスライダ２２と、スライダ２２をスプール軸１６方向に案内する２本のガイド軸２３ａ、２３ｂを有している。
【００３０】
減速機構２０は、図４に示すように、ピニオンギア９に噛み合う大径ギア２５ａ及び小径ギア２５ｂを有する段付ギア２５と、螺軸２１の前端部の軸部に相対回転不能に装着され小径ギア２５ｂに噛み合う中間ギア２６とを備えている。段付ギア２５は、ピニオンギア９と平行な軸回りに回転する。大径ギア２５ａは、ピニオンギア９に噛み合うねじギアである。小径ギア２５ｂは、中間ギア２６に噛み合うねじギアである。ピニオンギア９は、図２に示すように、マスターギア軸８の下側に配置され、段付ギア２５、中間ギア２６は、マスターギア軸８の上側に配置されている。中間ギア２６は、螺軸２１の前端部に相対回転不能に装着固定されたねじギアである。ここでは、小径ギア２５ｂより大径の中間ギア２６に噛み合うことにより、ピニオンギア９の回転が大きく減速されて螺軸２１に伝達される。このような減速機構２０によって、スプール４の前後移動の速度が減速されるので、釣り糸を密巻きにすることができる。
【００３１】
螺軸２１は、図２、図４に示すように、表面に交差する螺旋状の螺旋状溝２１ａが形成された部材であり、スプール軸１６と平行に配置されている。螺軸２１は、筐体部１０の前後端に回転自在に装着されている。螺軸２１は、筐体部１０の後方から装着されている。
【００３２】
スライダ２２は、図２から図４に示すように、螺軸２１の螺旋状溝２１ａに係合する係合部材２２ａと、係合部材２２ａが装着され螺軸２１の回転に連動して前後移動するスライダ本体２２ｂとを有している。スライダ２２は、係合部材２２ａの先端が螺旋状溝２１ａに係合することにより、螺軸２１の回転に応じてスプール軸方向に往復移動し、スプール軸１６をハンドル１の回転に連動して往復移動させる。
【００３３】
ロータ３は、図２、図４に示すように、ピニオンギア９を介してリール本体２に回転自在に装着されたロータ本体３５と、ロータ本体３５に揺動自在に装着されたベールアーム３４とを有している。ロータ本体３５は、たとえばアルミニウム合金製であり、ピニオンギア９に固定された筒状の支持部３０と、支持部３０の後端部外周面の対向する位置から支持部３０と間隔を隔ててそれぞれ前方に延びる第１ロータアーム３１及び第２ロータアーム３２とを有している。ロータ本体３５である、支持部３０、第１ロータアーム３１及び第２ロータアーム３２は、たとえばアルミニウム合金製であり、ダイカスト成形により一体成形されている。第１ロータアーム３１、第２ロータアーム３２の径方向外周側には、図１、図２に示すように、それぞれ、第１カバー部材３６、第２カバー部材３７により覆われている。また、第１ロータアーム３１、第２ロータアーム３２の先端の外周側には、ベールアーム３４を構成する第１ベール支持部材４０、第２ベール支持部材４２が揺動自在に装着されている。ベールアーム３４は、釣竿からスプール４に釣り糸をスムーズに案内してスプール４に釣り糸を巻き付けるために設けられている。ベールアーム３４は、糸案内姿勢とそれから反転した糸開放姿勢との間で揺動自在である。
【００３４】
ロータ３は、図２に示すように、逆転防止機構５０により糸繰り出し方向の回転を禁止・解除可能である。逆転防止機構５０は、筐体部１０の機構支持部１０ｂに装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。切換操作部５２は、筐体部１０の機構支持部１０ｂの下部に揺動自在に支持されている。
【００３５】
スプール４は、図２に示すように、浅溝形のものであり、外周に釣り糸が巻き付けられる糸巻胴部４ａと、糸巻胴部４ａの後端部に糸巻胴部４ａより大径に形成された筒状のスカート部４ｂと、糸巻胴部４ａの先端部に糸巻胴部４ａより僅かに大径に形成された前フランジ部４ｃとを備えている。
【００３６】
このスピニングリールでは、筐体部１０には、後部上面に外部に露出する係止溝１０ｃが形成され、竿取付脚部１３には、後方に開口する装着孔１３ｂが形成され、第１カバー部材１４は、装着孔１３ｂに揺動可能に装着される揺動軸部１４ｂと、揺動軸部１４ｂを装着孔１３ｂに装着し第１カバー本体１４ａを装着孔１３ｂの軸芯回りに揺動させたとき係止溝１０ｃに係止可能な第１係止突起１４ｃとを主に有している。
【００３７】
ここでは、第１カバー部材１４は、第１カバー本体１４ａを装着孔１３ｂの軸芯回りに揺動させたとき第１係止突起１４ｃが係止溝１０ｃに係止されるので、第１カバー部材１４に大きな衝撃が付与されても、第１カバー部材１４が筐体部１０から外れにくくなる。特に、第１カバー部材１４を後方に強く引っ張ったとしても、第１カバー部材１４の着脱方向が前後方向であるのに対して、第１カバー部材１４の揺動方向が着脱方向と交差する左右方向であるので、第１係止突起１４ｃの後端面が係止溝１０ｃに係止されることにより、第１カバー部材１４がリールボディから後方に外れにくくなる。
【００３８】
さらに、ここでは、第２カバー部材１５は、上部に設けられた抜け止め部１５ｂによって、第１カバー部材１４の後部下方の係止溝１０ｃに係止された第１係止突起１４ｃの周囲を覆う構成になっているので、第２カバー部材１５によって第１カバー部材１４の後方への移動を規制することができ、第１カバー部材１４が筐体部１０から後方にさらに外れにくくなる。
【００３９】
〔他の実施形態〕
（ａ）  前記実施形態では、投げ釣り用のスピニングリールを例にあげて説明したが、前記実施形態の第１カバー部材１４、第２カバー部材１５を有する他の態様のスピニングリールであってもよい。
【００４０】
（ｂ）  前記実施形態では、装着孔１３ｂは、前方及び後方に開口するように前後に貫通して形成されていたが、後方のみ開口するような凹部であってもよい。また、図９、図１０に示すように、揺動軸部１４ｂの先端部にねじ孔１４ｅを形成し、前方側から装着されるねじ部材９１をねじ孔１４ｅに螺合させることによって、第１カバー部材１４を竿取付脚部１３に固定する構成にしてもよい。
【００４１】
（ｃ）  前記実施形態では、筐体部１０の後端部と第２カバー部材１５の抜け止め部１５ｂとで挟持される第２係止突起１４ｄを設けていたが、第２係止突起１４ｄを設けずに、第１係止突起１４ｃのみ設ける構成にしてもよい。また、筐体部１０の後端部の係止溝１０ｃの後側に図示しない別の係止溝を形成し、この別の係止溝に第２係止突起１４ｄを係止する構成にしてもよい。
【００４２】
（ｄ）  前記実施形態では、第１カバー部材１４、第２カバー部材１５は、ＡＢＳ樹脂等の比較的硬質の合成樹脂製であったが、材質はこれに限定されるものではなく、たとえば比較的衝撃を受けにくい第１カバー部材１４を合成樹脂製として軽量化を図りながら、岩場等に接触しやすい第２カバー部材１５を高硬度な金属製として強度を高く維持する構成にしてもよい。
【図面の簡単な説明】
【００４３】
【図１】本発明の一実施形態を採用したスピニングリールの側面図。
【図２】前記スピニングリールの側面断面図。
【図３】前記スピニングリールの背面断面図。
【図４】前記スピニングリールの斜視図。
【図５】第１カバー部材の正面図。
【図６】第２カバー部材の正面図。
【図７】前記第１カバー部材、前記第２カバー部材の側面断面図。
【図８】前記第１カバー部材、前記第２カバー部材の拡大側面断面図。
【図９】他の実施形態の図７に相当する図。
【図１０】他の実施形態の図４に相当する図。
【符号の説明】
【００４４】
１  ハンドル
２  リール本体
３  ロータ
４  スプール
５  ロータ駆動機構
６  オシレーティング機構
７  マスターギア
８  マスターギア軸
９  ピニオンギア
１０  筐体部
１０ｃ  係止溝
１０ｄ  ねじ孔
１１  第１蓋部材
１２  第２蓋部材
１３  竿取付脚部
１３ｂ  装着孔
１４  第１カバー部材
１４ａ  第１カバー本体
１４ｂ  揺動軸部
１４ｃ  第１係止突起
１４ｄ  第２係止突起
１４ｅ  ねじ孔
１５  第２カバー部材
１５ａ  第２カバー本体
１５ｂ  抜け止め部
１５ｃ  突出部
１５ｄ  貫通孔
１６  スプール軸
９０、９１  ねじ部材
１００  空洞部